(57)【要約】【課題】  ＥＦＤ特有な部屋の情報や配管の勾配差を設備情報と共に入力して管理できるＣＡＤ図面管理システムを提供することである。【解決手段】  再処理施設の設備系統図を構成する設備の情報に関わるＣＡＤシンボルデータと、設備系統図特有な部屋の情報に関わるＣＡＤセルデータと、設備系統図のＣＡＤ図面枠データとをＥＦＤＣＡＤ情報として記憶装置１４に登録し記憶する。情報処理装置１８はユーザからの入力要求を入力装置１５から受付け、入力装置１５からの入力要求に従ってＥＦＤＣＡＤ情報を基にＥＦＤＣＡＤ図面の新規作成や修正を行い作成・修正したＥＦＤＣＡＤ図面をＥＦＤＣＡＤ図面データとして記憶装置１４に保存し、表示装置１６にＥＦＤＣＡＤ図面データを表示出力する。【選択図】  図１
2006244237.tif 000002
【特許請求の範囲】
【請求項１】
設備系統図を構成する設備の情報に関わるＣＡＤシンボルデータと、設備系統図の部屋の情報に関わるＣＡＤセルデータと、設備系統図のＣＡＤ図面枠データとをＥＦＤＣＡＤ情報として登録し記憶した記憶装置と、ユーザからの入力要求を受付ける入力装置と、前記入力装置からの入力要求に従ってＥＦＤＣＡＤ情報を基に作成・修正したＥＦＤＣＡＤ図面をＥＦＤＣＡＤ図面データとして前記記憶装置に保存する情報処理装置と、前記ＥＦＤＣＡＤ図面データを表示出力する表示装置とを備えたことを特徴とするＣＡＤ図面管理システム。
【請求項２】
前記ＣＡＤセルデータは、部屋の名称、部屋の高さ、エリア情報に関わるＣＡＤ属性データであり、前記ＣＡＤセルデータを入力・管理する際に、前記表示装置の画面上で前記入力装置によるボックス指定、線分を組合せた領域指定、あるいは両者を組合せた指定により形状でエリアを定義し、前記入力装置を介してのユーザからの要求に応じて、属性情報をエリア情報と連携付けて表示することを特徴とする請求項１記載のＣＡＤ図面管理システム。
【請求項３】
前記ＣＡＤシンボルデータのうちの配管データは、前記表示装置の画面上で前記入力装置からの線分指定により形状を定義し、その形状上のポイントにて配管の高さ情報を入力・管理すると共に、前記入力装置を介してのユーザからの要求に応じて前記ポイントにおける高さ表示を行うことを特徴とする請求項１記載のＣＡＤ図面管理システム。
【請求項４】
前記情報処理装置は、ＥＦＤＣＡＤ図面データを作成・修正する際に、前記入力装置を介してのユーザからの要求により、配管勾配差を示す勾配シンボルまたは矢羽根シンボルの向きと連携して、配管勾配差を図面上に配置することを特徴とする請求項１記載のＣＡＤ図面管理システム。
【請求項５】
前記情報処理装置は、ＥＦＤＣＡＤ図面データを作成・修正する際に、配管データを作図するときの始点情報と終点情報とを用いて配管勾配差を自動判別し、ＣＡＤシンボルデータのうち配管の勾配差を示す勾配シンボルを図面上に配置することを特徴とする請求項１記載のＣＡＤ図面管理システム。
【発明の詳細な説明】
【技術分野】
【０００１】
本発明は、再処理施設の設備系統図のＣＡＤ図面を管理するＣＡＤ図面管理システムに関する。
【背景技術】
【０００２】
再処理施設の設備系統図（Engineering flow diagram 以下、ＥＦＤと呼ぶ）は、機器、弁、計装品及び配管等の設備で構成されており、ＥＦＤ特有な特徴として設備が配備されている部屋（空間）の名称やレベル（高さ）と、配管の高低差（勾配）等の設計情報が含まれている。このようなＥＦＤをＣＡＤ図面化して図面に記載されている設計情報をデータベースとして管理し、ＥＦＤのＣＡＤ図面をインターフェイスとして再処理施設の運転、保全・保修業務の計画段階から点検・改修、試験、運転までの各段階での業務に活用し、業務の効率向上、技術維持・向上、及び業務品質の維持・向上を図ることが望まれている。さらにＥＦＤのＣＡＤデータを利用した各種業務（アイソレーション計画、改良保修計画、定期検査、など）を支援するシステムと連携する必要がある。
【０００３】
ここでは、ＥＦＤの設計情報としての２Ｄ−ＣＡＤ構成及び各設備の部屋（空間）と配管の高低差（勾配）、流れについてのＣＡＤデータ構成を決め管理する必要がある。
【０００４】
配管計装線図（Piping & Instrumentation Diagram 以下Ｐ＆ＩＤという）情報をマンマシンインターフェイスとして、各部門の多種多様な情報の迅速、かつ効率的な利用による保守管理業務の効率化と高度化、及び保守管理業務で取り扱う情報の信頼性を向上することのできるプラント保守支援ＣＡＤシステムがある（例えば、特許文献１参照）。
【特許文献１】特許第３１６４７５７号公報
【発明の開示】
【発明が解決しようとする課題】
【０００５】
しかしながら、ＥＦＤの図面をＣＡＤ化して管理する手法及びシステムが無く、ＣＡＤデータとして作成・管理することができない。また、例えば特許文献１のものは、原子力発電所のＰ＆ＩＤを扱うＣＡＤシステムであるが、このＣＡＤシステムを代用してＥＦＤの図面をＣＡＤ化した場合には、設備が配備されている部屋や配管勾配差等の情報を一元的に入力・修正・管理することが困難であり、膨大な労力を必要とすることになる。
【０００６】
本発明の目的は、ＥＦＤ特有な部屋の情報や配管の勾配差を設備情報と共に入力して管理できるＣＡＤ図面管理システムを提供することである。
【課題を解決するための手段】
【０００７】
本発明のＣＡＤ図面管理システムは、設備系統図を構成する設備の情報に関わるＣＡＤシンボルデータと、設備系統図の部屋の情報に関わるＣＡＤセルデータと、設備系統図のＣＡＤ図面枠データとをＥＦＤＣＡＤ情報として登録し記憶した記憶装置と、ユーザからの入力要求を受付ける入力装置と、前記入力装置からの入力要求に従ってＥＦＤＣＡＤ情報を基に作成・修正したＥＦＤＣＡＤ図面をＥＦＤＣＡＤ図面データとして前記記憶装置に保存する情報処理装置と、前記ＥＦＤＣＡＤ図面データを表示出力する表示装置とを備えたことを特徴とする。
【発明の効果】
【０００８】
本発明によれば、ＥＦＤを構成する設備の情報に関わるＣＡＤシンボルデータと、設備系統図特有な部屋の情報に関わるＣＡＤセルデータと、設備系統図のＣＡＤ図面枠データとをＥＦＤＣＡＤ情報として登録できるので、ＥＦＤの部屋の情報や配管の勾配差を設備情報と共に管理できる。
【発明を実施するための最良の形態】
【０００９】
以下、本発明の実施の形態を説明する。図１は本発明の実施の形態に係わるＣＡＤ図面管理システムのブロック構成図である。ＣＡＤ図面管理システム１１は再処理施設の基本設計情報であり再処理施設の各部門で共通に利用されているＥＦＤＣＡＤ情報１２及びこのＥＦＤＣＡＤ情報１２に関連する設計保守情報１３を記憶する記憶装置１４を備えている。また、この記憶装置１４にＥＦＤＣＡＤ情報１２と設計保守情報１３とを入力する入力装置１５と、ＥＦＤＣＡＤ情報１２と設計保守情報１３とを表示する表示装置１６と、ＥＦＤＣＡＤ情報１２と設計保守情報１３とを印字出力する出力装置１７とが設けられている。
【００１０】
さらに、ＥＦＤＣＡＤ情報１２と設計保守情報１３とを情報処理装置１８を介して記憶装置１４に記憶媒体を用いて受入したり受渡すための情報伝達装置１９と、また、情報処理装置１８における検索及び処理された情報をＣＡＤ図面管理システム１１以外に伝送する信号伝送装置２０とを備えている。
【００１１】
信号伝送装置２０は、ＣＡＤ図面管理システム１１以外の複数のデータベースシステム２１もしくは図示省略の複数のＣＡＤ図面管理システム１１と、信号伝送ケーブル２２によって接続されている。これにより、ＥＦＤＣＡＤ情報１２に基いて再処理施設の構成を確認しつつ、保守管理業務に必要な設計保守情報１３を迅速かつ効率的に提供する。なお、データベースシステム２１は、信号伝送装置２３とデータベース制御装置２４、さらに他部門の設計保守情報を備えたデータベース２５とから構成されている。
【００１２】
図２はＣＡＤ図面管理システム１１のＥＦＤＣＡＤ情報１２の説明図である。ＥＦＤ画面２６を構成するデータとして、図２に示すように、図面枠データ２７、シンボルデータ２８、セル（エリア）データ２９、及び図面（属性）データ３０があり、図面（属性）データ３０は、配管属性情報３１、シンボル属性情報３２及びセル属性情報３３を有している。ＥＦＤＣＡＤ情報１２のＥＦＤＣＡＤ情報の特徴としては、特にセル（エリア）データ２９と図面（属性）データ３０の配管属性情報３１及びセル属性情報３３について特徴がある。
【００１３】
ＥＦＤには、各建屋の部屋を区分した部屋情報、各部屋毎にある設備（機器、弁、スペシャリティ、計装品等）情報及び各建屋にまたがる配管情報等がある。ＥＦＤのＣＡＤ図面情報としては、部屋情報としてセル（エリア）データ２９があり、設備情報として機器、弁、スペシャリティ、計装品等のシンボルデータ２８があり、配管情報等としてのラインデータがあり、さらにセル（エリア）データ２９、シンボルデータ２８及びラインデータに対する図面（属性）データ３０と図面枠データ２７とから構成される。
【００１４】
部屋情報としては、任意の形状で定義するセル（エリア）として部屋などの空間に設定できるようにし、エリア作図の際に属性情報として入力する。図３は部屋情報を入力する際に表示装置１６に表示される画面の説明図である。部屋情報のセル（エリア）データ２９は、表示装置１６の画面に表示された図面上に任意の形状でセル・部屋等の空間定義を行う。定義された空間には、属性情報として、部屋番号として１−Ｇ０４１９、部屋名称としてタンク室、高さ（レベル）としてＥＬ６１３００等が付与される。高さ（レベル）情報は複数保持可能とする。
【００１５】
ここで、セル（エリア）データには、形状の定義にボックス領域指定とストリング領域指定とがある。図４はセル（エリア）データ２９としてボックス領域指定で領域指定を行う場合の説明図である。図４に示すように、ボックス領域指定で任意の形状をａからｂ、ｃ方向に移動しながら配置し、属性データ（高さ、部屋番号、部屋名称等）を付与する。図５はセル（エリア）データ２９としてストリング領域指定で領域指定を行う場合の説明図である。図５に示すように、ストリング領域指定でａ、ｂ、ｃ、ｄ、ｅ、ｆ、ｇと任意の形状に配置し、属性データ（高さ、部屋番号、部屋名称等）を付与する。また、図６はセル（エリア）データ２９としてボックス領域指定及びストリング領域指定で領域指定する場合の説明図である。図６に示すように、ボックス領域指定でａ、ｂと配置した後に、配置修正にて形状修正のストリング領域指定でｃ、ｄ、ｅ、ｆ、ｇと任意の形状に変更し、属性データ（高さ、部屋番号、部屋名称等）を付与する。
【００１６】
次に、設備情報としては、機器、弁、スペシャリティ、計装品等のシンボルデータ２８があり、ＥＦＤでの主要機器等については、設定シンボル配置の際に属性情報を入力する。設備情報のシンボルデータ２８には、図３ないし図６で指定した部屋情報の領域内に設定シンボルを配置する際に、属性情報（高さ、設備番号、設備名称、設備仕様、位置等）を付与する。図７は、図３のセル（エリア）データ２９の領域内に機器シンボルを配置した場合の説明図である。図７に示すように、属性情報として、設備高さとしてＥＬ６２０００、設備番号として５３４２−Ｃ１２、設備名称としてタンク等が付与される。これにより、部屋レベル（高さ）Ｌ６１３００及び機器の高さ（ボトムレベル等）ＥＬ６２０００との位置関係等が確認できる。
【００１７】
次に、配管情報等としてラインデータがあり、ラインデータは、配管等のストリングで配置し属性情報を入力する。図８は配管情報のラインデータの入力の説明図である。図８に示すように、配管情報のラインデータは、部屋情報の領域をまたがり配管等のストリングで配置する際に属性情報を付与する。すなわち、属性情報として、流体ＣＷ（Cold Water）、配管番号００１、口径１５０、クラスＴ０１０ＡＫ、流れ方向（矢印、配管勾配差を示す勾配シンボル３４）等を付与する。配管情報の特徴として、流れ方向を定義する方法として下記（ａ）〜（ｅ）がある。
【００１８】
（ａ）図９は、配管の立ち上がり箇所にレベル（高さ）シンボル３５を配置するとともに勾配シンボル３４を配置して流れ方向を定義する場合の説明図である。図９に示すように、配管のレベル（高さ）を配管の立ち上がり（Ｕ字部）等のポイントに設定できるように、図面上にレベル（高さ）シンボル３５を配置の際に、属性情報として入力引出し線などに入力し、座標点と配管情報とを関連し付与する。
【００１９】
（ｂ）図１０は配管情報と勾配シンボルとを関連付け矢印シンボルを配置し流れ方向を定義する場合の説明図である。図１０（ａ）に示すように、配管の勾配シンボル３４を左下がり勾配に配置した場合には、矢印シンボルが右から左に流れるように配置する。また、図１０（ｂ）に示すように、配管の勾配シンボル３４を右下がり勾配に配置した場合には、矢印シンボルが左から右に流れるように配置する。
【００２０】
（ｃ）図１１は配管情報と矢羽根シンボルとを関連付け矢印シンボルを配置し流れ方向を定義する場合の説明図である。図１１に示すように、矢羽根シンボル３６の向きにより、それに隣接する配管の流れ方向を自動判別し矢印シンボルを配置する。
【００２１】
（ｄ）図１２は配管情報の作図の始点Ｓと終点Ｅと指定して流れ方向を矢印シンボルを配置し流れ方向を定義する場合の説明図である。図１２に示すように、配管情報の作図の始点Ｓと終点Ｅとを認識し、流れ方向を自動判別し矢印シンボルを始点Ｓから終点Ｅの流れに配置する。
【００２２】
（ｅ）図１３は配管などのストリングデータ上に矢印シンボルを配置し流れ方向を定義する場合の説明図である。図１３に示すように、配管などのストリングデータ上の任意の場所に矢印シンボルを配置し流れ方向を指定する。
【００２３】
本発明の実施の形態によれば、ＣＡＤ図面管理システム１１にてＥＦＤをＣＡＤデータ化した場合、ＥＦＤの特徴である各設備の部屋（空間）と配管の高低差（勾配）、流れ等の情報を含むので、ＣＡＤ図面管理システム１１にて、部屋情報としてのセル（エリア）データと、設備情報としての機器、弁、スペシャリティ、計装品等のシンボルデータとを座標位置及びレベル（高さ）等の情報で連携し、また、配管情報等としてのラインデータに、座標位置、勾配、流れ方向を持足せることができる。従って、ＥＦＤの設計情報の管理が容易にできる。
【００２４】
すなわち、ＥＦＤの設計情報として各設備の部屋（空間）と配管の高低差（勾配）、流れ等の情報を含むので、部屋情報、設備情報、配管情報の管理ができる。また、部屋情報としてセル（エリア）データにすることにより、セル（エリア）内に内包するシンボルを抽出することにより機器、弁、スペシャリティ、計装品等の設備が容易に確認できる。
【００２５】
また、設備情報には、部屋情報の領域内に設定シンボルを配置するため、設備属性情報の高さと座標位置により部屋情報との関連により床レベルからの確認が容易にできる。配管情報、勾配シンボル及び矢羽根シンボル等の情報を連携することにより、配管の流れ方向を確定し配管の流れ方向の確認が容易になり、配管情報の流れ方向として情報を持つことができる。配管の流れ情報により上流、下流の機器及び部屋間の経路の確認が容易にできる。
【図面の簡単な説明】
【００２６】
【図１】本発明の実施の形態に係わるＣＡＤ図面管理システムのブロック構成図。
【図２】本発明の実施の形態に係わるＣＡＤ図面管理システムのＥＦＤＣＡＤ情報の説明図。
【図３】本発明の実施の形態における部屋情報を入力する際に表示装置に表示される画面の説明図。
【図４】本発明の実施の形態におけるセル（エリア）データとしてボックス領域指定で領域指定を行う場合の説明図。
【図５】本発明の実施の形態におけるセル（エリア）データとしてストリング領域指定で領域指定を行う場合の説明図。
【図６】本発明の実施の形態におけるセル（エリア）データとしてボックス領域指定及びストリング領域指定で領域指定する場合の説明図。
【図７】図３のセル（エリア）データの領域内に機器シンボルを配置した場合の説明図。
【図８】本発明の実施の形態における配管情報のラインデータの入力の説明図。
【図９】本発明の実施の形態における配管情報に流れ方向を定義する一例の説明図。
【図１０】本発明の実施の形態における配管情報に流れ方向を定義する他の一例の説明図。
【図１１】本発明の実施の形態における配管情報に流れ方向を定義する別の他の一例の説明図。
【図１２】本発明の実施の形態における配管情報に流れ方向を定義するさらに別の他の一例の説明図。
【図１３】本発明の実施の形態における配管情報に流れ方向を定義するさらに別の他の一例の説明図。
【符号の説明】
【００２７】
１１…ＣＡＤ図面管理システム、１２…ＥＦＤＣＡＤ情報、１３…設計保守情報、１４…記憶装置、１５…入力装置、１６…表示装置、１７…出力装置、１８…情報処理装置、１９…情報伝達装置、２０…信号伝送装置、２１…データベースシステム、２２…信号伝送ケーブル、２３…信号伝送装置、２４…データベース制御装置、２５…データベース、２６…ＥＦＤ画面、２７…図面枠データ、２８…シンボルデータ、２９…セル（エリア）データ、３０…図面（属性）データ、３１…配管属性情報、３２…シンボル属性情報、３３…セル属性情報、３４…勾配シンボル、３５…レベル（高さ）シンボル、３６…矢羽根シンボル
【図１】
2006244237.tif 000003
【図２】
2006244237.tif 000004
【図３】
2006244237.tif 000005
【図４】
2006244237.tif 000006
【図５】
2006244237.tif 000007
【図６】
2006244237.tif 000008
【図７】
2006244237.tif 000009
【図８】
2006244237.tif 000010
【図９】
2006244237.tif 000011
【図１０】
2006244237.tif 000012
【図１１】
2006244237.tif 000013
【図１２】
2006244237.tif 000014
【図１３】
2006244237.tif 000015